(57)【特許請求の範囲】
【請求項１】
ネットワークに接続され、各種の情報を表示可能とする表示画面を有するユーザ端末装置と、該ユーザ端末装置と通信可能に構成された加熱調理器と、該加熱調理器に関連する情報を前記ネットワークを介して前記ユーザ端末装置に提供するサーバ装置とを備える調理器関連情報提供システムであって、
前記サーバ装置は、前記加熱調理器の状態を示す情報であり、且つ、自動調理の残り時間を含む該自動調理の進捗状況に関する情報である状態情報に関してユーザに説明するための説明情報が格納された説明情報記憶部と、該説明情報記憶部から抽出した説明情報を前記ユーザ端末装置の画面に表示させるための説明情報表示データを生成する説明情報表示データ生成部と、該説明情報表示データ生成部によって生成された説明情報表示データを前記ユーザ端末装置に提供する説明情報表示データ提供部とを備え、
前記ユーザ端末装置は、前記加熱調理器との通信により該加熱調理器の現在の状態を示す状態情報を取得する状態情報取得部と、該状態情報取得部により取得した状態情報を前記サーバ装置に送信する状態情報送信部と、該状態情報送信部によって送信した状態情報に対応する説明情報表示データを前記サーバ装置から取得する説明情報表示データ取得部と、該説明情報表示データ取得部が取得した説明情報表示データ、及び、該状態情報取得部が取得した状態情報に含まれる自動調理の残り時間を前記表示画面に表示させる表示制御部とを備えることを特徴とする調理器関連情報提供システム。
【請求項２】
前記ユーザ端末装置は、前記加熱調理器との通信により該加熱調理器の識別情報を取得する識別情報取得部と、該識別情報取得部により取得した識別情報を前記サーバ装置に送信する識別情報送信部とを備え、
前記サーバ装置は、前記ユーザ端末装置から取得した識別情報に対応する前記説明情報表示データを前記ユーザ端末装置に提供することを特徴とする請求項１記載の調理器関連情報提供システム。
【請求項３】
前記サーバ装置は、前記加熱調理器によって自動調理を行うための制御データを格納した制御データ記憶部と、該制御データ記憶部に格納されている制御データを前記ユーザ端末装置に提供する制御データ提供部とを備え、
前記ユーザ端末装置は、前記サーバ装置から取得した制御データを前記加熱調理器に送信する制御データ送信部を備えることを特徴とする請求項１又は２記載の調理器関連情報提供システム。
【請求項４】
ネットワークに接続され、各種の情報を表示可能とする表示画面を有するユーザ端末装置と、該ユーザ端末装置と通信可能に構成された加熱調理器と、該加熱調理器に関連する情報を前記ネットワークを介して前記ユーザ端末装置に提供するサーバ装置とを備える調理器関連情報提供システムにおけるプログラムであって、
前記ユーザ端末装置を構成するコンピュータを、前記加熱調理器と通信を行う通信手段、該通信手段により前記加熱調理器の現在の状態を示す情報であり、且つ、自動調理の残り時間を含む該自動調理の進捗状況に関する情報である状態情報を取得する状態情報取得手段、該状態情報取得手段により取得した状態情報を前記ネットワークを介して前記サーバ装置に送信する状態情報送信手段、該状態情報送信手段により送信された状態情報に対応して前記サーバ装置から抽出された説明情報を含んだ表示データを取得する説明情報表示データ取得手段、及び、該説明情報表示データ取得手段により取得した説明情報表示データ、及び、該状態情報取得手段により取得し状態情報に含まれる自動調理の残り時間を前記表示画面に表示させる表示制御手段として機能させる要素と、
前記サーバ装置を構成するコンピュータを、前記加熱調理器の状態を示す状態情報に関してユーザに説明するための説明情報が格納された説明情報記憶部から前記状態情報送信手段が送信した状態情報に対応する説明情報を抽出する説明情報抽出手段、該説明情報抽出手段が抽出した説明情報から前記ユーザ端末装置の画面に表示させるための説明情報表示データを生成する説明情報表示データ生成手段、及び、該説明情報表示データ生成手段によって生成された説明情報表示データを前記ユーザ端末装置に送信する説明情報表示データ送信手段として機能させる要素とを備えることを特徴とする調理器関連情報提供プログラム。
【発明の詳細な説明】
【技術分野】
【０００１】
本発明は、ネットワークを利用して加熱調理器の各種情報をユーザに提供する調理器関連情報提供システム及び調理器関連情報提供プログラムに関する。
【背景技術】
【０００２】
近年、ガスコンロ等の加熱調理器においては、ユーザが予めセットした調理メニューにより自動調理を行うことが実用化され、更には、スマートフォンやタブレット等の携帯型ユーザ端末装置の普及により、ユーザ端末装置を介して加熱調理器による自動調理等の状況が把握できるシステムが提案されている（例えば、特許文献１参照）。
【０００３】
この種のシステムでは、スマートフォン等のユーザ端末装置の表示画面を利用することにより、表示形態が制限されている加熱調理器においては表示できない情報を文字情報や写真等を用いて表示させることができ、運転状態等の詳細な説明情報を的確でわかり易い形で提供することができる。
【先行技術文献】
【特許文献】
【０００４】
【特許文献１】特開２０１４−１６３５３７号公報
【発明の概要】
【発明が解決しようとする課題】
【０００５】
ところで、この種のシステムでは、加熱調理器の状態を説明する説明情報がユーザ端末装置において生成される。このため、説明情報を生成するための情報は、ユーザ端末装置の記憶部に記憶されている必要がある。
【０００６】
しかし、スマートフォンやタブレット等の携帯型ユーザ端末装置は、多様な機能を備えて様々な用途に利用されるため、記憶部の容量に限りがある。加熱調理器の状態を説明する説明情報を生成するためのプログラムやデータをスマートフォンやタブレット等の携帯型ユーザ端末装置の記憶部に格納すると、記憶部の容量を消費してしまい、携帯型ユーザ端末装置の用途範囲を狭めてしまうおそれがある。
【０００７】
上記の点に鑑み、本発明は、ユーザ端末装置が備える記憶容量の消費を抑えて加熱調理器の状態に関する多くの情報をユーザが容易に確認することができるシステム及びプログラムを提供することを目的とする。
【課題を解決するための手段】
【０００８】
かかる目的を達成するために、本発明は、ネットワークに接続され、各種の情報を表示可能とする表示画面を有するユーザ端末装置と、該ユーザ端末装置と通信可能に構成された加熱調理器と、該加熱調理器に関連する情報を前記ネットワークを介して前記ユーザ端末装置に提供するサーバ装置とを備える調理器関連情報提供システムであって、前記サーバ装置は、前記加熱調理器の状態を示す情報であり、且つ、自動調理の残り時間を含む該自動調理の進捗状況に関する情報である状態情報に関してユーザに説明するための説明情報が格納された説明情報記憶部と、該説明情報記憶部から抽出した説明情報を前記ユーザ端末装置の画面に表示させるための説明情報表示データを生成する説明情報表示データ生成部と、該説明情報表示データ生成部によって生成された説明情報表示データを前記ユーザ端末装置に提供する説明情報表示データ提供部とを備え、前記ユーザ端末装置は、前記加熱調理器との通信により該加熱調理器の現在の状態を示す状態情報を取得する状態情報取得部と、該状態情報取得部により取得した状態情報を前記サーバ装置に送信する状態情報送信部と、該状態情報送信部によって送信した状態情報に対応する説明情報表示データを前記サーバ装置から取得する説明情報表示データ取得部と、該説明情報表示データ取得部が取得した説明情報表示データ、及び、該状態情報取得部が取得した状態情報に含まれる自動調理の残り時間を前記表示画面に表示させる表示制御部とを備えることを特徴とする。
【０００９】
ユーザ端末装置としては、スマートフォン、タブレットコンピュータ、携帯電話機、パーソナルコンピュータ等が挙げられる。加熱調理器としては、ガスコンロ、ＩＨコンロ、電子オーブンレンジ等が挙げられる。
【００１０】
本発明によってユーザ端末装置の表示画面に説明情報を表示させるとき、先ず、ユーザ端末装置の状態情報取得部が、加熱調理器との通信によって当該加熱調理器の現在の状態情報を取得し、その状態情報をユーザ端末装置の状態情報送信部によってサーバ装置に送信する。サーバ装置が加熱調理器の状態情報を取得することにより当該状態情報をサーバ装置に記憶しておくことができるので、ユーザ端末装置の状態情報取得部が取得した状態情報は、ユーザ端末装置に長期間記憶させておく必要がない。
【００１１】
次いで、状態情報を取得したサーバ装置は、ユーザ端末装置の状態情報送信部によって送信された状態情報に対応する説明情報を説明情報記憶部から抽出する。そして、ここで抽出した説明情報は、説明情報表示データ生成部によりユーザ端末装置の画面に表示させるための説明情報表示データとなる。そして、このように、サーバ装置が説明情報表示データを生成するので、説明情報表示データを生成するための情報は、サーバ装置に格納されていればよく、ユーザ端末装置に記憶させておく必要はない。
【００１２】
続いて、ユーザ端末装置は、説明情報表示データ取得部によりサーバ装置から説明情報表示データを取得する。このときの説明情報表示データは、表示制御部により表示画面に表示される。
【００１３】
このように、ユーザ端末装置の表示画面には、サーバ装置が生成した表示データによる説明情報が表示されるので、ユーザ端末装置は、その説明情報の表示データを生成するプログラムやデータを記憶保有しておく必要がない。よって、本発明によれば、ユーザ端末装置が備える記憶容量の消費を抑えて加熱調理器の状態に関する多くの情報をユーザに提供することができる。
【００１４】
また、本発明の調理器関連情報提供システムにおいて、前記ユーザ端末装置は、前記加熱調理器との通信により該加熱調理器の識別情報を取得する識別情報取得部と、該識別情報取得部により取得した識別情報を前記サーバ装置に送信する識別情報送信部とを備え、前記サーバ装置は、前記ユーザ端末装置から取得した識別情報に対応する前記説明情報表示データを前記ユーザ端末装置に提供することを特徴とする。
【００１５】
加熱調理器の識別情報としては、加熱調理器の型式、製造番号、販売元、製造元等を含む情報が挙げられる。本発明によれば、前記サーバ装置が、加熱調理器の識別情報を取得することにより、加熱調理器の識別情報に対応した説明情報表示データのみをユーザ端末装置に提供することができる。
【００１６】
なお、前記サーバ装置が加熱調理器の識別情報に対応した説明情報表示データをユーザ端末装置に提供するとき、加熱調理器の状態情報と識別情報との両方に対応した説明情報を説明情報記憶部から抽出し、この抽出された説明情報から説明情報表示データ生成部が説明情報表示データを生成してユーザ端末装置に提供するのが効率的であるが、加熱調理器の状態情報に対応する説明情報表示データを先ず生成してから加熱調理器の識別情報に対応する説明情報表示データを抽出してユーザ端末装置に提供してもよい。
【００１７】
また、本発明の調理器関連情報提供システムにおいて、前記サーバ装置は、前記加熱調理器によって自動調理を行うための制御データを格納した制御データ記憶部と、該制御データ記憶部に格納されている制御データを前記ユーザ端末装置に提供する制御データ提供部とを備え、前記ユーザ端末装置は、前記サーバ装置から取得した制御データを前記加熱調理器に送信する制御データ送信部を備えることを特徴とする。
【００１８】
本発明によれば、ユーザ端末装置は、加熱調理器の制御データをサーバ装置から取得して加熱調理器に送信する。よって、制御データをユーザ端末装置に保持しておく必要がなく、ユーザ端末装置の記憶容量の消費を抑えることができる。
【００１９】
また、ネットワークに接続され、各種の情報を表示可能とする表示画面を有するユーザ端末装置と、該ユーザ端末装置と通信可能に構成された加熱調理器と、該加熱調理器に関連する情報を前記ネットワークを介して前記ユーザ端末装置に提供するサーバ装置とを備える調理器関連情報提供システムにおけるプログラムとして、好ましくは、前記ユーザ端末装置を構成するコンピュータを、前記加熱調理器と通信を行う通信手段、該通信手段により前記加熱調理器の現在の状態を示す情報であり、且つ、自動調理の残り時間を含む該自動調理の進捗状況に関する情報である状態情報を取得する状態情報取得手段、該状態情報取得手段により取得した状態情報を前記ネットワークを介して前記サーバ装置に送信する状態情報送信手段、該状態情報送信手段により送信された状態情報に対応して前記サーバ装置から抽出された説明情報を含んだ表示データを取得する説明情報表示データ取得手段、及び、該説明情報表示データ取得手段により取得した説明情報表示データ、及び、該状態情報取得手段により取得し状態情報に含まれる自動調理の残り時間を前記表示画面に表示させる表示制御手段として機能させる要素と、前記サーバ装置を構成するコンピュータを、前記加熱調理器の状態を示す状態情報に関してユーザに説明するための説明情報が格納された説明情報記憶部から前記状態情報送信手段が送信した状態情報に対応する説明情報を抽出する説明情報抽出手段、該説明情報抽出手段が抽出した説明情報から前記ユーザ端末装置の画面に表示させるための説明情報表示データを生成する説明情報表示データ生成手段、及び、該説明情報表示データ生成手段によって生成された説明情報表示データを前記ユーザ端末装置に送信する説明情報表示データ送信手段として機能させる要素とを備える調理器関連情報提供プログラムを挙げることができる。
【図面の簡単な説明】
【００２０】
【図１】本発明の一実施形態の調理器関連情報提供システムの構成を模式的に示す図。
【図２】初期設定を示すチャート図。
【図３】加熱調理器の自動調理に関する処理を示すチャート図。
【図４】加熱調理器の他の状態情報の表示に関する処理を示すチャート図。
【発明を実施するための形態】
【００２１】
本発明の一実施形態を図面に基づいて説明する。本実施形態の調理器関連情報提供システムは、図１に示すように、加熱調理器１と、ユーザ端末装置２と、サーバ装置３とで構成される。
【００２２】
加熱調理器１は、例えばガスコンロ、ＩＨコンロ、電子オーブンレンジ等が挙げられる。ユーザ端末装置２は、ユーザ（加熱調理器１の使用者）が利用する端末装置であり、スマートフォン、タブレットコンピュータ、携帯電話機、パーソナルコンピュータ等を適用することができる。
【００２３】
ユーザ端末装置２と加熱調理器１とは無線により相互通信可能に接続され、ユーザ端末装置２とサーバ装置３とはネットワーク４を介して接続される。サーバ装置３は、加熱調理器１の製造者や販売者等により運営される。
【００２４】
ネットワーク４は、本実施形態においては、インターネットを利用し、ＴＣＰ／ＩＰ（Transmission Control Protocol／Internet Protocol）等の通信プロトコルを用いて相互にデータの送受信が可能となっている。
【００２５】
加熱調理器１は、ユーザが設定した調理手順に従って食材に対する加熱量や時間等を自動調節して調理を行う自動調理機能を備え、更に、本実施形態のシステムを構築するために、識別情報記憶部５と、状態情報採取部６と、通信部７とを備えている。
【００２６】
識別情報記憶部５には、加熱調理器１固有の識別情報が記憶されている。識別情報としては、型式、製造番号、販売元、製造元等を含む情報が挙げられる。状態情報採取部６は、現在の加熱調理器１がどのような状態にあるかを示す状態情報を自ら採取する。状態情報としては、調理運転中か停止中か、自動調理の進捗状況、自動調理の残り時間、エラーコード等を示す情報である。加熱調理器１の通信部７はユーザ端末装置２との通信状態を制御する。
【００２７】
ユーザ端末装置２は、ネットワーク４に接続してサーバ装置３との通信状態を制御する第１通信部８と、加熱調理器１との通信状態を制御する第２通信部９（通信手段）とを備えている。更に、ユーザ端末装置２は、各種の演算処理を行うためのコンピュータによる制御部１０（ＣＰＵ、ＲＯＭ、ＲＡＭ、入出力回路等からなる演算処理回路）と、各種データ及びプログラム等を記憶する記憶部１１と、タッチセンサ付液晶画面等の表示画面１２とを備えている。
【００２８】
ユーザ端末装置２の記憶部１１には、所定のオペレーティングシステムや、ユーザ端末装置２の機能を実現するための各種のプログラムが記憶されている。
【００２９】
ユーザ端末装置２の制御部１０には、その機能的構成として、識別情報取得部１３、状態情報取得部１４（状態情報取得手段）、識別情報送信部１５、状態情報送信部１６（状態情報送信手段）、説明情報表示データ取得部１７（説明情報表示データ取得手段）、表示制御部１８（表示制御手段）、及び制御データ送信部１９が備えられている。
【００３０】
識別情報取得部１３は、加熱調理器１との通信により加熱調理器の識別情報を取得する。状態情報取得部１４は、加熱調理器１との通信により加熱調理器１の現在の状態を示す状態情報を取得する。識別情報送信部１５は、識別情報取得部１３が取得した識別情報を第１通信部８によりサーバ装置３に送信する。状態情報送信部１６は、状態情報取得部１４が取得した状態情報を第１通信部８によりサーバ装置３に送信する。説明情報表示データ取得部１７は、状態情報に対応する説明情報表示データをサーバ装置３から取得する。表示制御部１８は、説明情報表示データ取得部１７が取得した説明情報表示データを表示画面１２に表示させる。制御データ送信部１９は、サーバ装置３から取得した制御データを第２通信部９により加熱調理器１に送信する。
【００３１】
これらの機能は、ユーザ端末装置２の制御部１０のＲＯＭや記憶部１１に予め記憶されたプログラムを読み出して制御部１０のＣＰＵにより実行することにより実現される。
【００３２】
サーバ装置３は、ネットワーク４に接続してユーザ端末装置２との通信状態を制御する通信部２０と、各種の演算処理を行うためのコンピュータによる制御部２１（ＣＰＵ、ＲＯＭ、ＲＡＭ、入出力回路等からなる演算処理回路）と、各種データ及びプログラム等を記憶する記憶部２２（例えば、ハードディスクドライブ等）とを備えている。
【００３３】
サーバ装置３の記憶部２２には、ユーザ情報データベース２３、調理情報データベース２４（説明情報記憶部）及び機器情報データベース２５（説明情報記憶部、制御データ記憶部）が構築されている。ユーザ情報データベース２３には、ユーザのＩＤ、パスワード、氏名、住所、電子メールアドレス等を登録される。調理情報データベース２４には、レシピに関するデータ（料理の材料リストの文字情報、作り方の文字情報、写真や動画による画像情報等）、各レシピに対応する自動調理用の制御データ、制御データによる自動調理の進行に応じた説明（説明情報）等が格納されている。機器情報データベース２５には、加熱調理器１の製造者名（ブランド名）、問い合わせ先、エラーコード、各エラーに対応するための説明（説明情報）等が格納されている。
【００３４】
更に、サーバ装置３の記憶部２２には、所定のオペレーティングシステムの他、ユーザ端末装置２から送信された要求に応じて、当該記憶部２２に記憶されている各種のデータに基づき表示データファイルを生成するためのプログラム、当該表示データファイルをユーザ端末装置２に送信するためのプログラム、その他、サーバ装置３の機能を実現するための各種のプログラムが記憶されている。
【００３５】
なお、各種のデータ及びプログラム等は、例えば、図外の他のサーバ装置等からネットワーク４を介して取得するようになっていてもよい。
【００３６】
サーバ装置３の制御部２１には、サーバ装置３の機能を実現するための各種の機能的構成が備えられている。これらの機能は、サーバ装置３の制御部２１のＲＯＭや記憶部２２に予め記憶されたプログラムを読み出して制御部２１のＣＰＵにより実行することにより実現される。
【００３７】
具体的には、サーバ装置３の制御部２１には、その機能的構成として、説明情報抽出部２６（説明情報抽出手段）、説明情報表示データ生成部２７（説明情報表示データ生成手段）、説明情報表示データ提供部２８（説明情報表示データ送信手段）、及び制御データ提供部２９が備えられている。
【００３８】
説明情報抽出部２６は、所定の条件に従って調理情報データベース２４や機器情報データベース２５から説明情報を抽出する。説明情報表示データ生成部２７は、ユーザ端末装置の画面に表示させるための説明情報表示データを生成する。説明情報表示データ提供部２８は、説明情報表示データ生成部２７によって生成された説明情報表示データを通信部２０を介してユーザ端末装置２に送信する。制御データ提供部２９は、機器情報データベース２５に格納されている制御データを通信部２０を介してユーザ端末装置２に送信する。
【００３９】
以上の構成による調理器関連情報提供システムの作動を説明する。まず、図２に示すように、初期設定が行われる。即ち、ＳＴＥＰ０−１でユーザの操作により、サーバ装置３のユーザ情報データベース２３へのユーザ登録が予め行われる。ユーザ登録はネットワークに接続状態のユーザ端末装置２を用いて、ユーザのＩＤ、パスワード、氏名、住所、電子メールアドレス等をユーザ情報データベース２３へ登録する。
【００４０】
また、ＳＴＥＰ０−２でユーザの操作により、ユーザ端末装置２と加熱調理器１とを無線接続するための通信設定を行う。ＳＴＥＰ０−２が行われることにより、ＳＴＥＰ０−３で加熱調理器１からユーザ端末装置２に識別情報が送信される。これによりユーザ端末装置２は、加熱調理器１の識別情報を取得する。そして、ＳＴＥＰ０−４でユーザ端末装置２は加熱調理器１の識別情報をサーバ装置３に送る。これにより、サーバ装置３は、保有する全ての情報のうち、識別情報に対応する情報のみをユーザ端末装置２に提供するように設定される。
【００４１】
以上の初期設定により、加熱調理器１は、ユーザ端末装置２との通信による自動調理が行えるようになる。そしてこれ以降、サーバ装置３は、加熱調理器１の識別情報に対応する各種の情報（後述のレシピ、表示データ、制御データ等）を抽出し、ユーザ端末装置２に送る。よって、例えば型式等の異なる加熱調理器に関する不要な情報が、ユーザ端末装置２に送られることがない。
【００４２】
ユーザ端末装置２で選択したレシピによって加熱調理器１で自動調理を行う場合の具体的な一例を挙げると、本実施形態のシステムにおいては、次のように作動する。
【００４３】
即ち、図３に示すように、ＳＴＥＰ１−１でユーザがユーザ端末装置２を用いてレシピを検索すると、サーバ装置３は、ＳＴＥＰ１−２で加熱調理器１が調理可能なレシピを示す表示データをユーザ端末装置２に送る。
【００４４】
ユーザ端末装置２は、サーバ装置３から表示データを取得して表示画面１２に表示させる。これにより、ユーザ端末装置２は、表示データを生成する必要がないので、表示データを生成するためのプログラムや情報をユーザ端末装置２が保有する必要がない。これにより、ユーザ端末装置２の記憶部１１の容量消費を抑えることができる。
【００４５】
また、サーバ装置３は、ＳＴＥＰ１−２でレシピの表示データと共に、当該レシピによる加熱調理器１の自動調理用の制御データをユーザ端末装置２に送る。制御データは、ユーザが選択したレシピに従って加熱調理器１を用いて自動運転を行うための情報であり、この制御データは、具体的には、加熱調理器１がグリル付き３口コンロである場合、グリル及び全てのコンロの制御に必要なデータを含むものとなる。
【００４６】
ユーザ端末装置２が取得する制御データは、初期設定により登録された識別情報に合致する加熱調理器１向けの制御データである。同一の調理を行うためのレシピはその内容（材料や調理方法）が同一であっても、自動調理用の制御データは加熱調理器１の型式等が異なる場合に同一ではない。本実施形態においてはこれを考慮して、サーバ装置３がユーザ端末装置２に提供する情報を初期設定で設定された識別情報に合致する加熱調理器１の制御データとする。これにより、ユーザ端末装置２はコンパクトな制御データを取得して加熱調理器１に伝送することができ、制御データの伝送時間の短縮を図ることができる。
【００４７】
なお、本実施形態の加熱調理器１による自動調理は、予め用意されている複数種の調理ステップ（湯沸かしステップや煮込みステップ等）を組み合わせることによって構成されている。
【００４８】
制御データを受けたユーザ端末装置２は、ＳＴＥＰ１−３で当該制御データを加熱調理器１に送る。加熱調理器１は、ユーザ端末装置２から取得した制御データをセットして、ユーザによる調理開始指示操作（加熱調理器１がガスコンロである場合は点火操作）があるまで待機する。
【００４９】
ユーザが調理開始指示操作を行って加熱調理器１による自動調理が開始されると、ＳＴＥＰ１−４で加熱調理器１から自動調理の進捗状況に関する情報（現在の調理ステップや残り時間）がユーザ端末装置２に送られる。
【００５０】
ユーザ端末装置２は、ＳＴＥＰ１−５で加熱調理器１から取得した現在の調理ステップと共に説明要求をサーバ装置３に送り（ユーザの操作による）、残り時間を同期させて表示する。
【００５１】
ユーザ端末装置２から現在の調理ステップと説明要求を受けたサーバ装置３は、現在の調理ステップに対応する調理状況の説明文（文字データ）と画像データとを組み合わせてわかり易く構成された表示データ（説明情報表示データ）を生成し、ＳＴＥＰ１−６でこの表示データをユーザ端末装置２に送る。
【００５２】
ユーザ端末装置２は、サーバ装置３から取得した表示データを表示画面１２に表示させる。これにより、ユーザ端末装置２の表示画面１２の表示を確認したユーザは、調理の進捗状況を容易に把握することができる。
【００５３】
自動調理中においても、サーバ装置３が生成した表示データをユーザ端末装置２の表示画面１２に表示するので、表示データを生成するためのプログラムや情報をユーザ端末装置２が保有する必要がなく、ユーザ端末装置２の記憶部１１の容量消費を抑えることができる。
【００５４】
また、加熱調理器１の状態情報は、自動調理の進捗状況のみではなく、加熱調理器１の動作やエラーに関する情報も含んでいる。即ち、図４に示すように、ＳＴＥＰ２−１で加熱調理器１の他の状態情報である現在の動作状況を示す情報（調理中、待機中、エラー等）がユーザ端末装置２に送られると、これを受けたユーザ端末装置２は、表示画面１２に調理中であることを示す表示、待機中であることを示す表示、或いは、エラーであることを示す表示を行う。
【００５５】
そして、ユーザ端末装置２が、ＳＴＥＰ２−２で説明要求をサーバ装置３に送ると、説明要求を受けたサーバ装置３は、説明文（文字データ）等による表示データを生成する。ＳＴＥＰ２−２でサーバ装置３に送る説明要求は、ユーザ端末装置２においてユーザが選択した動作状況に対応する説明情報である。
【００５６】
即ち、ユーザ端末装置２の表示画面１２に待機中を示す表示が行われているときに、ユーザが待機中の詳しい説明要求（例えば、ユーザ端末装置２がスマートフォンであるときには待機中を示す表示をタップする等の操作）を行うと、サーバ装置３は、説明情報表示データを生成する。この時の表示データは、例えば、加熱調理器１が調理開始指示操作（ガスコンロの場合は点火操作）を待っている状態である旨の説明文を含む表示データである。
【００５７】
また、ユーザ端末装置２の表示画面１２にエラーを示す表示が行われているときに、ユーザがエラーについての説明要求を行うと、ＳＴＥＰ２−２で説明要求と共にエラーコードがサーバ装置３に送られる。そして、サーバ装置３は、説明要求を受けたエラーコードに対応する説明文（エラー内容、対策、製造元や販売元の連絡先等）を含む表示データを生成する。
【００５８】
これらの表示データは、ＳＴＥＰ２−３でサーバ装置３からユーザ端末装置２に送られ、ユーザ端末装置２の表示画面１２に表示される。
【００５９】
以上のように、加熱調理器１の他の状態情報についても、ユーザ端末装置２からの要求に応じて表示データをサーバ装置３が生成するので、表示データを生成するためのプログラムや情報をユーザ端末装置２が保有する必要がなく、ユーザ端末装置２の記憶部１１の容量消費を抑えることができる。
【００６０】
なお、サーバ装置３で生成可能な表示データは、上述のものに限らない。具体的には、例えば、サーバ装置３においては、機器情報データベース２５を参照して、説明情報表示データ生成部２７が修理や点検時期等を含むメンテナンス情報に関する表示データを生成し、ユーザ情報データベース２３を参照することによりユーザ端末装置２に対して、メンテナンス情報に関する表示データを提供してもよい。これにより、ユーザ端末装置２に加熱調理器１のメンテナンス情報を最適な時期に合わせて表示させることができる。
【００６１】
また、本実施形態においては、ユーザ端末装置２における説明情報の表示について説明しているが、これに加えて、加熱調理器１が図示しない表示画面を備える場合は、サーバ装置３が生成した表示データを加熱調理器１の表示画面に表示させることも可能である。
【符号の説明】
【００６２】
１…加熱調理器、２…ユーザ端末装置、３…サーバ装置、４…ネットワーク、１２…表示画面、１３…識別情報取得部、１４…状態情報取得部（状態情報取得手段）、１５…識別情報送信部、１６…状態情報送信部（状態情報送信手段）、１７…説明情報表示データ取得部（説明情報表示データ取得手段）、１８…表示制御部（表示制御手段）、１９…制御データ送信部、２４…調理情報データベース（説明情報記憶部）、２５…機器情報データベース（説明情報記憶部、制御データ記憶部）、２６…説明情報抽出部（説明情報抽出手段）、２７…説明情報表示データ生成部（説明情報表示データ生成手段）、２８…説明情報表示データ提供部（説明情報表示データ送信手段）、２９…制御データ提供部。
【図１】
0006605935.tif 000002
【図２】
0006605935.tif 000003
【図３】
0006605935.tif 000004
【図４】
0006605935.tif 000005